(57)【要約】【課題】  従来、ディスクに記録された映像データの編集作業を行なっている際に、上記映像データにかかる管理データの容量が装置中の記憶手段の記録容量の上限値を越えそうになると、編集作業等を中断して記録媒体から記録済映像データの削除等を行なう必要が生じるという問題があった。【解決手段】  上記課題を解決するべく、記録媒体に映像データを記録再生するディスクドライブ８と、前記記録媒体に記録されている映像データにかかるタイトル、チャプタ等の管理データを記憶するデータ管理テーブル１１と、このテーブル１１における前記管理データのデータ量を検出するＣＰＵ５と、ＣＰＵ５で検出されたデータ量をテーブル１１にて記憶可能な管理データのデータ量の上限値と共に表示するための出力制御部９とを具備するようにした。【選択図】  図１
2005158151.tif 000002
【特許請求の範囲】
【請求項１】
記録媒体に映像データを記録再生する手段と、前記記録媒体に記録されている映像データにかかるタイトル、チャプタ等の管理データを記憶する手段と、この記憶手段における前記管理データのデータ量を検出する手段と、この検出手段で検出されたデータ量を前記記憶手段にて記憶可能な管理データのデータ量の上限値と共に表示するための出力手段とを具備したことを特徴とする情報記録再生装置。
【請求項２】
請求項１記載の情報記録再生装置において、前記記憶手段に記憶されている管理データ中のタイトルまたはチャプタのデータから所望のタイトルまたはチャプタを選択する手段と、この選択したタイトルまたはチャプタにかかる管理データのデータ量を表示するための出力手段とを具備したことを特徴とする情報記録再生装置。
【請求項３】
請求項２記載の情報記録再生装置において、前記選択手段は、前記記憶手段に記憶されている管理データ中のタイトルまたはチャプタのデータに基づきタイトルまたはチャプタを一覧表示する手段と、この一覧表示されたタイトルまたはチャプタから所望のタイトルまたはチャプタを選択する手段とを具備したことを特徴とする情報記録再生装置。
【請求項４】
請求項２または３記載の情報記録再生装置において、前記選択手段で選択されたタイトルまたはチャプタにかかる映像データを前記記録媒体から消去する手段を具備したことを特徴とする情報記録再生装置。
【請求項５】
請求項２または３記載の情報記録再生装置において、前記選択手段で選択されたタイトルまたはチャプタの管理に使用されているＶＯＢ及び前記記録媒体全体で使用されているＶＯＢにかかる管理データのデータ量、並びに前記記憶手段に記憶可能なＶＯＢにかかる管理データの上限値の各々を表示するための出力手段を具備したことを特徴とする情報記録再生装置。
【請求項６】
請求項５記載の情報記録再生装置において、前記選択手段で選択されたタイトルまたはチャプタの管理に使用されているＶＯＢの数を減少させるための手段を具備したことを特徴とする情報記録再生装置。
【請求項７】
請求項２または３記載の情報記録再生装置において、前記選択手段で選択されたタイトルまたはチャプタの管理に使用されているエクステント及び前記記録媒体全体で使用されているエクステントにかかる管理データのデータ量、並びに前記記憶手段に記憶可能なエクステントにかかる管理データの上限値の各々を表示するための出力手段を具備したことを特徴とする情報記録再生装置。
【請求項８】
請求項７記載の情報記録再生装置において、前記選択手段で選択されたタイトルまたはチャプタの管理に使用されているエクステントの数を減少させるための手段を具備したことを特徴とする情報記録再生装置。
【請求項９】
請求項２または３記載の情報記録再生装置において、前記選択手段で選択されたタイトルまたはチャプタにかかる管理データのみを削除する手段を具備したことを特徴とする情報記録再生装置。
【発明の詳細な説明】
【技術分野】
【０００１】
本発明は、磁気ディスクや光ディスク等の記録媒体に対して情報を記録再生する情報記録再生装置に関する。
【背景技術】
【０００２】
従来の磁気テープを用いた映像記録再生装置に代わり、磁気ディスクや光ディスクを用いた映像記録再生装置が普及し始めている。ところで上記装置を用いてある放送番組の記録を行なう場合、ディスクの空き領域を探しながら記録動作が行なわれる。また記録したデータの再生のために、上記ディスクに記録された映像データをファイルとして管理する管理データ（データファイルの名前や記録場所、サイズ、記録日時等の管理データ）も映像データと共に記録される。そして新たに記録を行なう場合には、上記管理データを参照して空き領域を探し、その空き領域に記録を行なっていくことになる。
【０００３】
ここで、記録途中に空き領域が無くなった場合には記録が中断してしまうことになる。このようなことを防ぐには事前に過去に記録したデータを削除しておく必要がある。そこで、上記空き領域がなくなった場合、管理データを参照して自動的に記録日時の古いデータから順次削除することで、新たな記録を行なえるようにした記録装置が提案されている（特許文献１参照）。
【０００４】
ところで、編集作業等の際にはディスク上に記録されている管理データを一旦、記録再生装置本体の作業用のメモリに取り込み、取り込んだ管理データを更新した上で、編集作業等の終了後にディスクに上記更新された管理データを書き込むことになる。ここで、記録データにかかる管理データを作業用のメモリに記憶する場合、メモリサイズとの関係から、その記憶容量には上限値が設けられる。そのため、細かな編集作業等を繰り返し行なう場合には管理データの容量が増加し、上限値を越えそうになった際には、上記編集作業等を中断して記録済映像データの削除等が必要になるという問題があった（上記削除により、管理データの容量も減少する）。この場合、どの程度までデータ削除を行なえば良いのかを含め効率的なデータ削除の方法については、何ら解決策が提案されていない状況であった。
【特許文献１】特開平８−２１２１１４号公報（第３頁、図１）
【発明の開示】
【発明が解決しようとする課題】
【０００５】
上述したように、従来、管理データについてメモリの記憶容量の上限値を越えそうになると、編集作業等を中断して、記録媒体から記録済映像データの削除等を行なう必要が生じるという問題があった。
【０００６】
本発明はこのような点に鑑みてなされたもので、事前に最小限の記録データ削除を容易に行なうことが可能で、もって容易にメモリ内の管理データの記憶容量の低減を図ることが可能な情報記録再生装置を提供することを目的とする。
【課題を解決するための手段】
【０００７】
上記目的を達成するために、請求項１にかかる情報記録再生装置は、記録媒体に映像データを記録再生する手段と、前記記録媒体に記録されている映像データにかかるタイトル、チャプタ等の管理データを記憶する手段と、この記憶手段における前記管理データのデータ量を検出する手段と、この検出手段で検出されたデータ量を前記記憶手段にて記憶可
能な管理データのデータ量の上限値と共に表示するための出力手段とを具備したことを特徴とするものである。
【０００８】
また、請求項２にかかる情報記録再生装置は、請求項１記載の情報記録再生装置において、前記記憶手段に記憶されている管理データ中のタイトルまたはチャプタのデータから所望のタイトルまたはチャプタを選択する手段と、この選択したタイトルまたはチャプタにかかる管理データのデータ量を表示するための出力手段とを具備したことを特徴とするものである。
【０００９】
さらに、請求項３にかかる情報記録再生装置は、請求項２記載の情報記録再生装置において、前記選択手段は、前記記憶手段に記憶されている管理データ中のタイトルまたはチャプタのデータに基づきタイトルまたはチャプタを一覧表示する手段と、この一覧表示されたタイトルまたはチャプタから所望のタイトルまたはチャプタを選択する手段とを具備したことを特徴とするものである。
【００１０】
請求項４にかかる情報記録再生装置は、請求項２または３記載の情報記録再生装置において、前記選択手段で選択されたタイトルまたはチャプタにかかる映像データを前記記録媒体から消去する手段を具備したことを特徴とするものである。
【００１１】
請求項５にかかる情報記録再生装置は、請求項２または３記載の情報記録再生装置において、前記選択手段で選択されたタイトルまたはチャプタの管理に使用されているＶＯＢ及び前記記録媒体全体で使用されているＶＯＢにかかる管理データのデータ量、並びに前記記憶手段に記憶可能なＶＯＢにかかる管理データの上限値の各々を表示するための出力手段を具備したことを特徴とするものである。
【００１２】
請求項６にかかる情報記録再生装置は、請求項５記載の情報記録再生装置において、前記選択手段で選択されたタイトルまたはチャプタの管理に使用されているＶＯＢの数を減少させるための手段を具備したことを特徴とするものである。
【００１３】
請求項７にかかる情報記録再生装置は、請求項２または３記載の情報記録再生装置において、前記選択手段で選択されたタイトルまたはチャプタの管理に使用されているエクステント及び前記記録媒体全体で使用されているエクステントにかかる管理データのデータ量、並びに前記記憶手段に記憶可能なエクステントにかかる管理データの上限値の各々を表示するための出力手段を具備したことを特徴とするものである。
【００１４】
請求項８にかかる情報記録再生装置は、請求項７記載の情報記録再生装置において、前記選択手段で選択されたタイトルまたはチャプタの管理に使用されているエクステントの数を減少させるための手段を具備したことを特徴とするものである。
【００１５】
請求項９にかかる情報記録再生装置は、請求項２または３記載の情報記録再生装置において、前記選択手段で選択されたタイトルまたはチャプタにかかる管理データのみを削除する手段を具備したことを特徴とするものである。
【発明の効果】
【００１６】
本発明によれば、事前に最小限の記録データ削除を容易に行なうことが可能で、もって容易に管理データの記録容量の低減を図ることが可能な情報記録再生装置を提供することが出来る。
【発明を実施するための最良の形態】
【００１７】
以下、本発明になる情報記録再生装置の実施の形態について、図面を参照して説明する
。
【００１８】
図１は本発明になる情報記録再生装置の一実施の形態を示す回路ブロック図である。図中、１は映像信号源であり、例えば放送信号から所望のチャンネルを選択するチューナやビデオカメラである。２は記録再生が可能なＨＤＤ（ハードディスクドライブ）付のＤＶＤレコーダ等の情報記録再生装置であり、３は映像信号源１に接続された情報記録再生装置２の入力制御部である。４は情報記録再生装置２のデータバスであり、これには入力制御部３をはじめとして、ＣＰＵ５、エンコーダ６、デコーダ７、ディスクドライブ８、出力制御部９、ＧＵＩ（グラフィカル・ユーザ・インタフェース）制御部１０、データ管理テーブル１１が接続されている。さらに情報記録再生装置３の出力制御部９にはディスプレイ１２が接続されている。
【００１９】
次に、図１の装置の動作を説明する。映像信号源１からの映像信号は、入力制御部３、データバス４を介してエンコーダ６に入力され圧縮符号化される。この圧縮符号化信号はディスクドライブ８にて図示せぬディスクに記録される。ディスクドライブ８にて上記図示せぬディスクから再生された映像信号は、データバス４を介してデコーダ７に入力され、復号化されて元の非圧縮信号に戻される。この信号は、データバス４を介して出力制御部９に入力され、最終的にディスプレイ１２にて映像表示がなされる。
【００２０】
ディスクに記録された映像は、ＧＵＩ制御部１０によって編集作業を行なうことができ、また、再生することも出来る。また、データ管理テーブル１１における管理データ量をＧＵＩ制御部１０を介して表示することも出来る。
【００２１】
図２はＧＵＩ制御部１０にてデータ範囲を指定して映像データ等の削除等を行なう場合の、ディスプレイ１２の画面の一例を示している。図中、２１はディスプレイ１２の画面であり、２２乃至２９はディスクに記録されているタイトル別の映像データのサムネイル画像である。ここで例えばディスクからあるタイトルの映像データを消去しようとするときは、ＧＵＩを用いて画面２１の上半分の領域３０に表示された上記サムネイル画像をカーソルで選択し、ディスプレイ１２の画面２１の下半分の消去領域３１に画像を移動させる。
【００２２】
図２では、２２及び２３のタイトルの画像データを消去するべく、当初、画面２１の上半分の領域３０に表示されていたサムネイル画像２２、２３を画面２１の下半分の領域３１に移動させた状態を示している。この状態で、図示せぬ消去実行ボタン等を押すことにより、実際にディスクから上記２つのタイトルの映像データが消去されることになる。この消去は、具体的にはＧＵＩ制御部１０からの制御信号を受けてＣＰＵ５がディスクドライブ８を駆動制御することで実行される。
【００２３】
次に、データ管理テーブル１１における管理データ量をＧＵＩ制御部１０を介して表示する動作について図３を用いて説明する。図３は、管理データ量表示（リソース表示）のフローチャートである。リソース表示処理は、最初にリソースを表示したい範囲をユーザが選択する（ステップＳ１）。この場合、図示はしないが、図２と同様にディスクに記録されているタイトルのサムネイル画像や、あるいは、あるタイトルのチャプタにかかるサムネイル画像をディスプレイ画面上に表示させ、ＧＵＩを用いてその中から所望のタイトルやチャプタの画像を選択することで、範囲選択を行なうことになる。
【００２４】
次にステップＳ１でなされた範囲選択において、タイトルが選択されているか否か（そして該当タイトルにかかる各リソースが未算出か否か）をチェックする（ステップＳ２）。タイトルが選択されていれば（かつ該当タイトルにかかる各リソースが未算出ならば）（ステップＳ２でＹＥＳ）、次に選択されたタイトル（複数選択されている場合は、いず
れか１つのタイトル）に関して使用中の各リソース量（チャプタ数、ＶＯＢ数、エクステント数）の算出を行い、算出値を加算して（ステップＳ３）、ステップＳ２に戻る。
【００２５】
ここで、チャプタ、ＶＯＢ、エクステントについて説明をする。チャプタはタイトルが複数の部分に分かれている場合のそれぞれの部分を示し、複数部分に分かれていない場合は、タイトル（数）とチャプタ（数）は一致する。ＶＯＢ（Ｖｉｄｅｏ  Ｏｂｊｅｃｔ）は複数のエレメンタリ・ストリームを集合したＭＰＥＧプログラム・ストリームであり、チャプタを更に細かく分けたそれぞれの部分をいう。
【００２６】
ところで、ディスクへの最初の記録を除いては必ずしも連続したトラックに１タイトルの全てが記録されることはなく、飛び飛びに記録されることが多い。これは、編集作業を含めて消去動作の繰り返しの結果として、空き領域が飛び飛びに生じるためである。これらの分割部分をエクステントと称し、エクステントの総数がエクステント数となる。以上の数値が大きい場合、位置データ等の管理データが多くなることになる。
【００２７】
次に、ステップＳ３の具体的な処理の詳細を図４を用いて、以下簡単に説明する。タイトルが選択されている場合のあるタイトルに関して使用中の各リソース量の算出は、図４において、まず選択されたタイトルのうちのある１つのタイトルの範囲に含まれるチャプタ数をカウントする（ステップＳ１１）。そして上記カウントしたチャプタ数を所定のレジスタに加算する（ステップＳ１２）。
【００２８】
次に、上記１つのタイトルの範囲に含まれるＶＯＢ数をカウントする（ステップＳ１３）。そして上記カウントしたＶＯＢ数を所定のレジスタに加算する（ステップＳ１４）。最後に上記１つのタイトルの範囲に含まれるエクステント数をカウントする（ステップＳ１５）。そして上記カウントしたエクステント数を所定のレジスタに加算する（ステップＳ１６）。以上で、ある１つのタイトルについての使用中の各リソース量の算出が終了することになる。
【００２９】
図４に示したフローは、選択されたタイトルの全てについて各リソース量の計算がなされ積算されるまで繰り返される。
【００３０】
再び図３に戻り、説明を続ける。選択された全てのタイトルにかかる各リソース量の算出が終了した場合、またはタイトルが選択されていない場合、ステップＳ２でＮＯとなり、ステップＳ４に移行する。ステップＳ４ではチャプタが選択されているか（そして該当チャプタにかかる各リソースが未算出となっている）がチェックされる。もしチャプタが選択されていなければ（すなわち、タイトルのみ選択されている）、ステップＳ４でＮＯとなって、ステップＳ３で算出／加算された各リソース量がディスプレイ１２の画面上に表示されて（ステップＳ６）、終了となる。
【００３１】
一方、タイトルが選択されておらずチャプタが選択されていれば（かつ該当チャプタにかかる各リソースが未算出ならば）、ステップＳ４でＹＥＳとなり、該当チャプタに関して使用中の各リソース量（ＶＯＢ数、エクステント数）の算出を行い、算出値を加算して（ステップＳ５）、ステップＳ４に戻る。なお、ステップＳ５のフローの詳細は、図４に示したフローチャートにおいてステップＳ１１及びＳ１２を除いたものとなる。
【００３２】
チャプタが選択されておりかつ選択された全てのチャプタにかかる各リソース量の算出が終了した場合、図３のステップＳ４はＮＯとなり、ステップＳ６に移行する。そしてステップＳ５で算出／加算された各リソース量がディスプレイ１２の画面上に表示され、終了となる。
【００３３】
上記ステップＳ６でのリソース情報の表示例を図５乃至図６に示す。図から理解される通り、図５は各リソース量を数字で示したものであり、図６はグラフ化したものである。この表示例の場合、範囲選択はＧＵＩにてタイトルが選択されており、それに対して各リソース量（チャプタ数４１、ＶＯＢ数４２、エクステント数４３）をディスプレイ１２の画面４４（図５）、４５（図６）上に表示している。また、上記チャプタ数４１、ＶＯＢ数４２、エクステント数４３に対して、装置としての上限値４６、ディスクで使用している全使用量４７、選択された範囲で使用している選択範囲使用量４８を表示している。
【００３４】
なお、図６ではグラフ表示の関係上、各使用量はバー表示の左端側を０として表示している。すなわち、全使用量４７の表示はその一部が選択範囲使用量４８の表示で隠れており、上限値４６の表示はその一部が選択範囲使用量４８及び全使用量４７の表示で隠れている。
【００３５】
上記表示によれば、上限値に対する全使用量の割合からリソースの不足状況を知ることが出来、また選択範囲使用量からは、選択した範囲の映像データを削除した場合に開放されるリソース量を容易に把握することが出来る。
【００３６】
図７は、上記表示機能を利用して、例えば編集作業を実施する前に、事前に十分な管理データ領域を確保するための処理を示すフローチャートである。
【００３７】
最初にＧＵＩを用いてディスク全体を選択範囲としたリソース表示を実行する（ステップＳ２１）。すると、図５あるいは図６に示したように、ディスプレイ１２の画面上にリソースの上限値及び使用量が表示される。ここで、ユーザーは上記表示を見てリソースが十分であるか否かを判断する（ステップＳ２２）。リソースが十分であると判断された場合（ステップＳ２２でＹＥＳ）は、何ら対応する必要が無いため、処理は終了となる。
【００３８】
もし、リソースが不十分であると判断された場合（ステップＳ２２でＮＯ）は、リソース確保のために、不要と思われるタイトルの削除を行なう。すなわち、削除可能なタイトルがあるか否かをユーザーにて判断する（ステップＳ２３）。不要と思われるタイトルがあれば（ステップＳ２３でＹＥＳ）、該当タイトルのリソース表示を実行する（ステップＳ２４）。さらに、選択したタイトルで使用している各リソースが大きいか否かを判断する（ステップＳ２５）。ここでリソースが大きいと判断された場合（ステップＳ２５でＹＥＳ）は、選択したタイトルの削除を行なう（ステップＳ２６）。リソースが大きくないと判断された場合（ステップＳ２５でＮＯ）は、ステップＳ２３に戻り、他の不要と思われるタイトルがあるか否かを検討し、リソース表示を行なわせることになる。
【００３９】
ステップＳ２６で選択したタイトルの削除を行なった結果、十分なリソースの確保がなされたか否かは、ステップＳ２２にて再び確認されることになる。すなわち、削除可能なタイトルがある限り、使用可能なリソース量が十分に確保されるまでタイトルのリソース表示と削除が続けられることになる。
【００４０】
一方、先のステップＳ２３にてＮＯとなった場合（当初から削除可能なタイトルが存在しない場合及び十分なリソース量を確保する前に削除可能な不要タイトルがなくなった場合）、タイトルの削除以外の手段で対応することも可能である。ここでは、エクステントのリソースが不足している場合の対応として、デフラグタイトルのリソースを表示させ（ステップＳ２７）、リソース量が大であるかを判断し（ステップＳ２８）、大であれば（ステップＳ２８でＹＥＳ）メディア内移動等のデフラグ処理を行い（ステップＳ２９）、リソース量の確認（ステップＳ２２）に戻るようにしている。
【００４１】
ステップＳ２８でＮＯであれば、ステップＳ２７へ戻り、他のデフラグタイトルのリソ
ースを表示させることになる。なお、ステップＳ２７及びステップＳ２８では、デフラグで効果のある断片化しているタイトルを探し、一番効果のありそうなタイトルからデフラグ処理（ステップＳ２９）を行なうようにすると良い。
【００４２】
以上の処理は、エクステントのリソース不足はサイズの割にエクステントが多い（すなわち断片化している）ことを意味するので、そのようなタイトルのものをデフラグすることでリソース不足を解消できることからなされている。なお、ステップＳ２７乃至Ｓ２９ではデフラグを行なっているが、他の手段を採用することも可能である。すなわち、チャプタ数が多い場合は選択されたタイトルからチャプタにかかる情報を削除してリソースを開放したり、ＶＯＢ数が多い場合は選択されたタイトル／チャプタを再度エンコードしてコピーを行なうことで、使用しているＶＯＢ数を減らしてリソースを開放することが出来る。
【図面の簡単な説明】
【００４３】
【図１】本発明になる情報記録再生装置の一実施の形態を示す回路ブロック図。
【図２】映像データ等の削除等を行なう場合の図１におけるディスプレイの画面の一例を示す図。
【図３】図１のデータ管理テーブルにおける管理データ量を表示するフローチャート。
【図４】図３のフローチャートの一部を詳細に示したフローチャート。
【図５】図１の装置におけるリソース情報の表示例を示す図。
【図６】図１の装置におけるリソース情報の表示例を示す図。
【図７】図１の装置において管理データ領域を確保するための処理を説明するためのフローチャート。
【符号の説明】
【００４４】
１：  映像信号源
２：  情報記録再生装置
３：  入力制御部
４：  データバス
５：  ＣＰＵ
６：  エンコーダ
７：  デコーダ
８：  ディスクドライブ
９：  出力制御部
１０：  ＧＵＩ制御部
１１：  データ管理テーブル
１２：  ディスプレイ
【図１】
2005158151.tif 000003
【図２】
2005158151.tif 000004
【図３】
2005158151.tif 000005
【図４】
2005158151.tif 000006
【図５】
2005158151.tif 000007
【図６】
2005158151.tif 000008
【図７】
2005158151.tif 000009